(57)【要約】【課題】  見栄えがよく、魔除けとしての御利益が期待できる飾り物を提供する。【解決手段】  飾り物１０に、先端に複数の実１１を有し所定の長さの複数の茎１２からなる本体１３と、本体１３の実１１よりも後端側に列状に保持されると共に、本体の延びる方向に対して略直角方向に延出するように夫々保持される複数の第一縁起物１４と、本体１３の後端部近傍に取付けられ、本体１３を吊下げ支持するための円環状の吊下部材１６と、吊下部材１６と、本体１３に保持された第一縁起物１４との間に配置され、本体１３の前面側に固定される第二縁起物１７と、第二縁起物１７に対して本体とは反対側に固定される第三縁起物１８とを具備させる。【選択図】  図１
0003108303.tif 000002
【実用新案登録請求の範囲】
【請求項１】
先端に複数の実を有し所定の長さの複数の茎からなる本体と、
該本体の前記実よりも後端側に列状に保持されると共に、前記本体の延びる方向に対して略直角方向に延出するように夫々保持される複数の第一縁起物と、
前記本体の後端部近傍に取付けられ、本体を吊下げ支持するための円環状の吊下部材と、
該吊下部材と、前記本体に保持された前記第一縁起物との間に配置され、前記本体の前面側に固定される第二縁起物と、
該第二縁起物に対して前記本体とは反対側に固定される第三縁起物と
を具備することを特徴とする飾り物。
【請求項２】
前記吊下部材と、前記本体に支持された前記第一縁起物との間は、８〜１２ｃｍとされていることを特徴とする請求項１に記載の飾り物。
【請求項３】
前記第二縁起物は、動物、又は人物の形状をした小物であり、且つ、
前記第三縁起物は、前記第二縁起物と対向する面が表面とされ、該表面に所定の文字を有すると共に、外周が引き千切られた状態の和紙からなることを特徴とする請求項１又は請求項２に記載の飾り物。
【請求項４】
先端に複数の古代米が実った穂を有し所定の長さの複数の藁からなる本体と、
該本体の前記穂よりも後端側に、前記複数の藁を編むことで列状に保持されると共に、前記本体の延びる方向に対して略直角方向に延出するように夫々保持される植物の実からなる複数の第一縁起物と、
前記本体の後端部近傍に取付けられ、本体を吊下げ支持するための円環状の吊下部材と、
該吊下部材と、前記本体に保持された前記第一縁起物との間に配置され、前記本体の前面側に固定され、動物、又は人物の形状をした小物からなる第二縁起物と、
該第二縁起物に対して前記本体とは反対側に固定され、前記第二縁起物と対向する面が表面とされ、該表面に所定の文字を有すると共に、外周が引き千切られた状態の和紙からなる第三縁起物と
を具備することを特徴とする飾り物。
【考案の詳細な説明】
【技術分野】
【０００１】
本考案は、魔除けを兼ねた飾り物に関するものである。
【背景技術】
【０００２】
従来より、魔除けとしては、種々のものが知られている。その一つとして、例えば藁と唐辛子の実とからなるものが知られている。この魔除けは、所定の長さからなる複数の藁を編むことで列状に唐辛子の実を保持させるともに、藁の延びる方向に対して唐辛子の実が直角方向に延出するように保持された構成とされている。これを玄関や部屋に吊るすことで、魔除けとして用いられている。
【０００３】
本願出願人は、上記の従来技術が記載されている文献を特に知見していない。
【考案の開示】
【考案が解決しようとする課題】
【０００４】
しかしながら、従来のものは、藁に唐辛子の実が列状に保持されているだけであるため、見栄えが良いものとは言い難いものであった。また魔除けとしての唐辛子の縁起を知らない人が見た場合、単に唐辛子を干したものにしか見えないという問題があった。
【０００５】
ところで、近年、キッチンなどの部屋内において、壁などに野菜を吊下げて、飾り物とすることが行われつつあるが、この場合、単に野菜を吊下げるだけでは、見栄えの良いものとは言えず、装飾効果の低いものとなっていた。
【０００６】
そこで、上記の実情に鑑み、見栄えがよく、魔除けとしての御利益が期待できる飾り物の提供を課題とするものである。
【課題を解決するための手段】
【０００７】
本発明に係る飾り物は、「先端に複数の実を有し所定の長さの複数の茎からなる本体と、該本体の前記実よりも後端側に列状に保持されると共に、前記本体の延びる方向に対して略直角方向に延出するように夫々保持される複数の第一縁起物と、前記本体の後端部近傍に取付けられ、本体を吊下げ支持するための円環状の吊下部材と、該吊下部材と、前記本体に保持された前記第一縁起物との間に配置され、前記本体の前面側に固定される第二縁起物と、該第二縁起物に対して前記本体とは反対側に固定される第三縁起物とを具備する」構成とするものである。
【０００８】
ここで、本体としては、先端に複数の実を有し所定の長さの複数の茎からなるものであればよく、イネ科、カヤツリグサ科などに属する植物が例示できる。その中で、縁起がよいとされる植物を用いることが望ましく、例えば稲の穂を有した藁が例示できる。さらに、稲の穂の実が赤褐色、又は紫黒色をした「古代米」と言われる稲を用いてもよい。
【０００９】
また、第一縁起物、第二縁起物、第三縁起物としては、種々のものを用いることができ、特に限定するものではないが、植物、魚、動物、鳥、などの動植物、もしくはそれに似せた作り物や、人物の形をしたものが例示できる。また御守り、御札、絵馬等を用いてもよい。具体的には、唐辛子の実、干支、福助、招き猫、フクロウ等、縁起物として知られているものが例示できる。また「さるぼぼ」（岐阜県飛騨地方の民芸品）のような、地方に伝わる民芸品のようなものでも良い。なお、似せた作り物は、その材質を特に限定するものではなく、布、紙、藁、草、樹脂等を用いることが例示できる。
【００１０】
従って、本考案によると、本体の後端部に備えられた吊下部材によって本体を吊下げることができ、吊下げた状態で、本体の先端に設けられた複数の実が最も下側に配置され、その上側に複数の第一縁起物が列状に本体に保持され、更にその上側に第二縁起物が本体に固定されると共に、第二縁起物の反対側に第三縁起物が本体に固定された形態の飾り物とすることができる。これにより、多種類で且つ複数の縁起物を備えているので、縁起のよい飾り物とすることができる。また、本体先端の複数の実と、第一縁起物と、第二縁起物とが上下方向に列状に配置されるので、縦長でまとまったデザインとなり、装飾効果が高く、見栄えのよい飾り物とすることができる。
【００１１】
また、第一縁起物を本体の長手方向に対して直角方向に延出するように本体に保持されている。つまり、第一縁起物の長手方向が略水平方向となるように本体に保持されているので、本体の長さに対して可及的に多くの第一縁起物を保持させることができるので、より縁起がよいものとすることができると共に、第一縁起物の略重心位置において保持するようにすることで、第一縁起物を安定して保持することができる。
【００１２】
また、第二縁起物を第一縁起物と吊下部材との間に配置している。つまり、複数の第一縁起物を挟んで、下側に本体の複数の実と、上側に第二縁起物とを配置した形態をすることができるので、本体の複数の実や、複数の第一縁起物に対して、単品の第二縁起物を際立たせることができる。
【００１３】
さらに、第三縁起物を本体に対して第二縁起物の反対側に固定しているので、例えば、第三縁起物を明らかに縁起のよいものと認識できるようなものとした場合、第三縁起物が第二縁起物や第一縁起物に隠れて見づらくなっても、縁起物としては効果を失うことが無く、縁起物として期待を高めることができる。あるいは、第三縁起物を、その大きさ、形状、色を適宜設定することで、第二縁起物や第一縁起物の背景として用いることも可能であり、それによって、第二縁起物や第一縁起物をより引き立たせることができる。
【００１４】
また、吊下部材を本体の後端に備えて本体の複数の実が下側となるようにしているので、本体の茎には、複数の実からの荷重が引っ張り荷重となり、茎を真直ぐ伸ばすような作用をさせることが可能となる。これにより、例えば、複数の実が上側となるようにした場合、茎には圧縮荷重が作用するため、茎が曲がって、全体の形状が歪んでしまう恐れがあるが、本考案では、複数の実が下側となるようにしているので、茎が曲がることが無く、全体の形状を維持させることができると共に、耐久性の高いものとすることができる。
【００１５】
本考案に係る飾り物は、「前記吊下部材と、前記本体に支持された第一縁起物との間は、８〜１２ｃｍとされている」構成とすることもできる。
【００１６】
ここで、吊下部材と第一縁起物との間を８ｃｍ〜１２ｃｍとしているのは、８ｃｍより短いと、第二縁起物及び第三縁起物を取付けるスペースが十分取れないためであり、吊下部材と第一縁起物との間が１２ｃｍより長いと、第二縁起物及び第三縁起物を取付けるスペースが無駄に長くなってしまう。
【００１７】
従って、本考案によると、吊下部材と、本体に支持された第一縁起物との間を、８〜１２ｃｍとすることで、第二縁起物及び第三縁起物を本体に取付ける作業を簡単にすることができる。
【００１８】
本考案に係る飾り物は、「第二縁起物は、動物、又は人物の形状をした小物であり、且つ、第三縁起物は、第二縁起物と対向する面が表面とされ、表面に所定の文字を有すると共に、外周が引き千切られた状態の和紙からなる」構成とすることもできる。
【００１９】
ここで、第三縁起物の所定の文字とは、願い事や神仏の名前など縁起がよいとされる内容の文字であり、具体的には、「家内安全」、「学業成就」、「無病息災」、「商売繁盛」、「魔除け」などが例示できる。また、文字は、手書きしたもの、印刷したものでもよい。
【００２０】
従って、本考案によると、第二縁起物が動物又は人物の形状をした小物で、第三縁起物が表面に文字を有した不規則な和紙とした飾り物とすることができる。これにより、飾り物として見栄えのよいものとすることができる。
【００２１】
また、第二縁起物を動物又は人物の形状としているので、飾り物であることを認識させ易く、特に縁起のよいとされる動物や人物とすることで、縁起がよいものであることを強く認識させることができる。
【００２２】
更に、第三縁起物に所定の文字を有しているので、第三縁起物の縁起を容易に認識させることができる。また、第三縁起物を和紙としてその外周を引き千切った状態としているので、第三縁起物を第二縁起物や第一縁起物の背景として用いるのに好適であり、それらを引き立てることができると共に、第三縁起物を和紙としているので、引き千切ると不規則な状態で千切れ易く、引き立て役としての効果の高い外形を簡単に得ることができる。なお、第三縁起物に、文字の他に図柄や模様などを有するようにしても良く、これにより、より縁起がよいものとしたり、装飾効果の高いものとしたりすることができる。
【００２３】
本考案に係る飾り物は、「先端に複数の古代米が実った穂を有し所定の長さの複数の藁からなる本体と、該本体の前記穂よりも後端側に、前記複数の藁を編むことで列状に保持されると共に、前記本体の延びる方向に対して略直角方向に延出するように夫々保持される植物の実からなる複数の第一縁起物と、前記本体の後端部近傍に取付けられ、本体を吊下げ支持するための円環状の吊下部材と、該吊下部材と、前記本体に保持された前記第一縁起物との間に配置され、前記本体の前面側に固定され、動物、又は人物の形状をした小物からなる第二縁起物と、該第二縁起物に対して前記本体とは反対側に固定され、前記第二縁起物と対向する面が表面とされ、該表面に所定の文字を有すると共に、外周が引き千切られた状態の和紙からなる第三縁起物とを具備する」構成とすることができる。
【００２４】
従って、本考案によると、本体の後端部に備えられた吊下部材によって本体を吊下げることができ、吊下げた状態で、本体の先端の古代米が実った穂が最も下側に配置され、その上側に第一縁起物である複数の植物の実が列状に本体に保持され、更にその上側に第二縁起物である動物又は人物の形状をした小物が本体に固定されると共に、第二縁起物の反対側に第三縁起物である引き千切られた状態の和紙が本体に固定された飾り物とすることができる。
【００２５】
ところで、古代米は故事の由来から「出世米」とも言われ、非常に縁起がよいものと言われている。従って、先端に古代米の実った穂を有した藁を本体として用いることで、第一縁起物、第二縁起物、第三縁起物だけでなく、本体も縁起がよいもので構成することができ、より縁起が期待できる飾り物とすることができる。また、古代米の稲の実は、赤褐色、又は紫黒色であるため、装飾効果を高め、見栄えをよくすることもできる。
【００２６】
また、第一縁起物として複数の植物の実を用い、これらを複数の藁で編むことで列状に保持しているので、ともに植物の素材で構成することで、素朴な感じを与えることができ、見る人の心を和ませる飾り物とすることができる。さらに、例えば、唐辛子の実のように、魔除けの効果があると言われ、かつ、赤色、黄色などの色の実を用いることで、魔除けの効果が期待できると共に、さらに見栄えがする飾り物とすることができる。
【考案の効果】
【００２７】
上記のように、本考案によると、見栄えがよく、魔除けとしての御利益が期待できる飾り物を提供することができる。
【考案を実施するための最良の形態】
【００２８】
以下、本考案の実施をするための最良の形態について、図１及至図３を基に説明する。図１は本考案の一実施形態である飾り物の全体図であり、図２は本考案の上部付近の構成を示す拡大図であり、図３（Ａ）は図１のＡ−Ａ間の拡大正面図であり、（Ｂ）はＡ−Ａ間の拡大背面図である。
【００２９】
図１に示すように、本例の飾り物１０は、先端に複数の古代米が実った穂１１を有し所定の長さの複数の藁１２からなる本体１３と、本体１３の穂１１よりも後端側に、複数の藁１２を編むことで列状に保持されると共に、本体１３の延びる方向に対して略直角方向に延出するように夫々保持される複数の第一縁起物１４と、本体１３の後端部近傍に取付けられ、本体１３を吊下げ支持するための円環状の吊下部材１６と、吊下部材１６と、本体１３に保持された複数の第一縁起物１４との間に配置され、本体１３の前面側に固定された第二縁起物１７と、第二縁起物１７に対して本体１３とは反対側に固定された第三縁起物１８とを備えている。
【００３０】
本体１３は、紫黒色の籾をつけた状態の古代米の穂１１を有した複数の藁１２を用いている。なお、本実施例で用いる藁１２は、穂１１を先端に有するほかに葉２１も有している。また、本体１３は、列状に保持された複数の第一縁起物１４より上部分は、複数の藁１２を撚り合わせることにより紐状になっている。
【００３１】
第一縁起物１４は、唐辛子の実であり、本例では、赤い唐辛子の実を用いている。この第一縁起物１４は、本体１３である複数の藁１２を編むことにより列状に保持されている。詳述すると、本体１３の延びる方向に対して、第一縁起物１４の長手方向が略直角になるように第一縁起物１４を配置させ、第一縁起物１４の長手方向の中心、つまり重心位置に藁１２が沿うように編む。図３に示すように、複数の藁１２のうち、いくつかの藁１２を第一縁起物１４の正面から、残りの藁１２を第一縁起物１４の背面から沿わせる。次に、これらの藁１２を第一縁起物１４の上端で交差させるときに、正面から見て、背面から正面に来る藁１２を、正面から背面へ行く藁１２の間を通るように交差させる。これを繰り返すことで、複数の第一縁起物１４が列状に保持されると共に、本体１３の延びる方向に対して略直角方向に延出するように保持される。なお、列状に保持された複数の第一縁起物１４のうち、一番上の第一縁起物１４の上端及び一番下の第一縁起物１４の下端の部分は、本体１３を構成する一本の藁１２により他の藁１２が巻き付けられている。これにより、列状に保持した第一縁起物１４が下がったり、藁１２を編んだ部分が緩むことにより、第一縁起物１４が外れたりすることを防止している。
【００３２】
第二縁起物１７は、図２に示すように、枝に止まっている梟に似せた小物であり、布地で作られた梟２２と、その梟２２の下端に梟の横幅と略同じ長さの小枝２３とから構成されている。第二縁起物１７は、吊下部材１６と第一縁起物１４との略真ん中に第二縁起物１７である梟２２の背面の中央と本体１３とを図示しない糸により固定している。なお、本例では、第二縁起物１７の梟２２の中に、芳香作用のあるものが収容されている。芳香作用のあるものとして、ラベンダー、ローズなど芳香性のあるハーブ類の植物を乾燥させたものや、ポプリなどを用いてもよい。
【００３３】
第三縁起物１８は、図２に示すように、本例では和紙からなり、その外周が引き千切られることで不規則な状態となっていると共に、紙の繊維が現れたものとなっている。また、第三縁起物１８には、その表面に、「家内安全」の文字２５を有しており、縁起物としての御札の作用を奏するようになっている。また、本例では図示は省略するが、第三縁起物１８の表面には、文字２５の下側に、出所を表示する朱印を有している。この第三縁起物１８は、その上端が第二縁起物１７の上端と略同じ位置となるように、本体１３に接着固定されている。
【００３４】
吊下部材１６は、茶色の紐を本体１３に巻き付け、その両端部を結ぶことで円環状に形成されている。また本体１３の後端部近傍に吊下部材１６を巻き付けることで、拠り合せた藁１２がバラバラになることを防止している。
【００３５】
因みに、吊下部材１６と一番上の第一縁起物１４の間の長さＳは、約８ｃｍとなっている（図１参照）。また、第二縁起物１７である梟の形状をした小物の長さは、約３ｃｍである。
【００３６】
このように、本実施形態の飾り物１０によると、装飾効果の有する縁起物を多種類且つ複数備えているので、魔除けとしてのご利益、または縁起を期待することができると共に、見栄えをよくすることができる。
【００３７】
また、古代米の実った穂１１と、赤い唐辛子の実からなる複数の第一縁起物１４と、梟２２の形状をした小物からなる第二縁起物１７といった装飾効果を有するものが上下方向に列状に配置されるので、縦長でまとまったデザインとなり、装飾効果を高めることができる。
【００３８】
また、唐辛子の実からなる複数の第一縁起物１４と、梟２２の形状をした第二縁起物１７と、「家内安全」の文字２５を和紙の表面に有した第三縁起物１８に加え、さらに本体１３にも古代米の実った穂１１を有した藁１２を用いているので、より縁起がよいものとすることができる。
【００３９】
さらに、第二縁起物１７を梟２２と小枝２３からなる小物としているので、飾り物であることを認識させ易く、また、梟は、「福来」、「不苦労」などと言われる由来から、縁起がよい動物と言われているので、梟の小物を用いることで、縁起がよいものであることを強く認識させることができる。さらに、第三縁起物１８である和紙は、その表面に「家内安全」の文字２５を有しているので、第三縁起物１８の縁起を容易に認識させることができる。また、和紙の外周を引き千切った状態としているので、第三縁起物１８を背景として用いることで、第二縁起物を引き立てることができる。
【００４０】
また、第一縁起物１４として複数の唐辛子の実を用い、これらを複数の藁１２で編むことで列状に保持しており、ともに植物の素材で構成することで、素朴な感じを与えることができ、見る人の心を和ませる飾り物とすることができ、土産物にも好適な飾り物とすることができる。
【００４１】
さらに、吊下部材１６と、本体１３に支持された第一縁起物１４との間の長さＳを、約８ｃｍとしており、第二縁起物１７及び第三縁起物１８を本体１３に取付ける作業を簡単にすることができる。
【００４２】
以上、本考案について好適な実施形態を挙げて説明したが、本考案はこの実施形態に限定されるものではなく、以下に示すように、本考案の要旨を逸脱しない範囲において、種々の改良及び設計の変更は可能である。
【００４３】
本実施形態では、第二縁起物１７として、梟の形状をした小物としたが、これに限定されるものではなく、図４（Ａ）に示すように、さるぼぼ２６（顔と体が主に赤い布地で作られ、ほおかむりと前掛けをした人形で、飛騨地方の民芸品）や、（Ｂ）に示すように藁で作られた馬２７でもよい。なお、上記と同様の構成のものについては同じ符号を付すと共に、説明は省略する。これによっても、上記と同様の作用効果を奏することができると共に、民芸品や植物の素材を用いた小物を用いることで、より素朴な感じを与えることができる。
【００４４】
また、本実施形態では、第一縁起物１４として唐辛子の実を用いたが、これに限定されるものではなく、ラベンダーなど、芳香作用のある植物を用いてもよい。これにより、香りを楽しむことのできる飾り物とすることができる。
【００４５】
さらに、本実施形態では、第一縁起物１４として植物の実、第二縁起物１７として動物の形状をした小物、第三縁起物１８として表面に文字２５を有した和紙を用いたが、これに限定されるものではなく、第一縁起物１４、第二縁起物１７、第三縁起物１８の夫々に、植物、魚、動物、鳥などの動植物、もしくはそれに似せた作り物や人形の形をしたもの、また御守り、御札、絵馬等を用いることが可能であり、適宜組み合わせることができる。
【図面の簡単な説明】
【００４６】
【図１】本考案の一実施形態である飾り物の全体図である。
【図２】本考案の飾り物の上部付近の構成を示す拡大図である。
【図３】（Ａ）は図１のＡ−Ａ間の拡大正面図であり、（Ｂ）はＡ−Ａ間の拡大背面図である。
【図４】本実施例とは異なる飾り物の上部付近を示す拡大図である。
【符号の説明】
【００４７】
１０  飾り物
１１  穂（複数の実）
１２  藁（茎）
１３  本体
１４  第一縁起物
１６  吊下部材
１７  第二縁起物
１８  第三縁起物
２２  梟（第二縁起物）
２５  文字
２６  さるぼぼ（第二縁起物）
２７  馬（第二縁起物）
【図１】
0003108303.tif 000003
【図２】
0003108303.tif 000004
【図３】
0003108303.tif 000005
【図４】
0003108303.tif 000006